(57)【要約】【課題】土壌に植立された植物に対し強制的に振動を与えることによって植物を有効に育成することができる植物の育成方法を提供する。【解決手段】植物１の幹Ｔに振動装置２を取り付け、この振動装置２によって植物１に一日所要時間で所要日間振動を与えることにより、植物１の根Ｒに刺激を与えてその成長を促進させるようにする。【選択図】図１
2008000091.tif 000002
【特許請求の範囲】
【請求項１】
植物の幹に振動装置を取り付け、この振動装置によって植物に一日所要時間で所要日数間振動を与えることにより、植物の根に刺激を与えてその成長を促進させるようにしたことを特徴とする植物の育成方法。
【請求項２】
植物の植えられた土壌に対して振動装置により一日所要時間で所要日数間振動を与えることにより、植物の根に刺激を与えてその成長を促進させるようにしたことを特徴とする植物の育成方法。
【請求項３】
請求項１に記載の植物の育成方法に使用する振動装置であって、植物の幹に縛り付けて固定される加振機からなることを特徴とする振動装置。
【請求項４】
請求項２に記載の植物の育成方法に使用する振動装置であって、加振機を搭載した基台と、基台の下面より垂設された多数本の振動伝達棒とからなり、基台をダンパーを介してクレーンで吊持した状態で、各振動伝達棒の下端部を植物の植えられた土壌に所要深さだけ突入させるようにしてなることを特徴とする振動装置。
【請求項５】
請求項２に記載の植物の育成方法に使用する振動装置であって、植物の植えられた土壌の上に載置される格子枠状の振動伝達枠と、振動伝達枠上の中央部に立設された支柱と、支柱の上端部に設置された加振機とからなることを特徴とする振動装置。
【請求項６】
請求項２に記載の植物の育成方法に使用する振動装置であって、一定間隔おきに偏心カムを設けた長尺な回転シャフトの一端部を連動用フレキシブルシャフトを介してモーターに連動連結すると共に、回転シャフトの略全長に亘って非回転チューブを套嵌してなる棒状振動体からなるもので、この棒状振動体を植物の植えられた土壌の上に這わせるようにしたことを特徴とする振動装置。
【請求項７】
請求項２に記載の植物の育成方法に使用する振動装置であって、加振機を搭載した基台と、基台の下面側に取り付けられた複数条の橇とからなり、植物の植えられた土壌を走行するトラクターによって基台を牽引させながら、橇を土壌の表面側で滑らせるようにしてなることを特徴とする振動装置。
【発明の詳細な説明】
【技術分野】
【０００１】
本発明は、樹木、イネ、その他の土壌に植立した植物に振動を与えることによって植物を有効に育成するようにした方法、及びこの方法に使用する振動装置に関する。
【背景技術】
【０００２】
植物を有効に育成方法については従来より種々の方法が知られているが、植物に対して強制的に振動を与えるようにした植物の育成方法は未だ提案されていない。
【発明の開示】
【発明が解決しようとする課題】
【０００３】
本発明は、人の体に対しマッサージやショック療法を行なうことによって、血行が良くなり、筋肉の機能が高められて体力の回復・増強が図られるように、土壌に植立された樹木などの植物に対し強制的に振動を与えることによって、植物を有効に育成できるようにした植物の育成方法を提供することを目的とする。
【課題を解決するための手段】
【０００４】
上記課題を解決するための手段を、後述する実施形態の参照符号を付して説明すると、請求項１に係る発明の植物の育成方法は、植物１の幹Ｔに振動装置２を取り付け、この振動装置２によって植物１に一日所要時間で所要日数間振動を与えることにより、植物１の根Ｒに刺激を与えてその成長を促進させるようにしたことを特徴とする。
【０００５】
請求項２に係る発明の植物の育成方法は、植物１１の植えられた土壌Ｓに対して振動装置により一日所要時間で所要日数間振動を与えることにより、植物１１の根ｒに刺激を与えてその成長を促進させるようにしたことを特徴とする。
【０００６】
請求項３は、請求項１に記載の植物の育成方法に使用する振動装置であって、植物１の幹Ｔに縛り付けて固定される加振機３からなることを特徴とする。
【０００７】
請求項４は、請求項２に記載の植物の育成方法に使用する振動装置であって、加振機１３を搭載した基台１４と、基台１４の下面より垂設された多数本の振動伝達棒１５とからなり、基台１４をダンパー１８を介してクレーンで吊持した状態で、各振動伝達棒１５の下端部を植物１１の植えられた土壌Ｓに所要深さだけ突入させるようにしてなることを特徴とする。
【０００８】
請求項５は、請求項２に記載の植物の育成方法に使用する振動装置であって、植物１１の植えられた土壌Ｓの上に載置される格子枠状の振動伝達枠２４と、振動伝達枠２４上の中央部に立設された支柱２５と、支柱２５の上端部に設置された加振機２３とからなることを特徴とする。
【０００９】
請求項６は、請求項２に記載の植物の育成方法に使用する振動装置であって、一定間隔おきに偏心カム３０を設けた長尺な回転シャフト３１の一端部を連動用フレキシブルシャフト３３を介してモーターに連動連結すると共に、回転シャフト３１の略全長に亘って非回転チューブ３５を套嵌してなる棒状振動体３６からなるもので、この棒状振動体３６を植物１１の植えられた土壌Ｓの上に這わせるようにしたことを特徴とする。
【００１０】
請求項７は、請求項２に記載の植物の育成方法に使用する振動装置であって、加振機４３を搭載した基台４１と、基台４１の下面側に取り付けられた複数条の橇４４とからなり、植物２１の植えられた土壌Ｓを走行するトラクター４５によって基台４１を牽引させながら、橇４４を土壌Ｓの表面側で滑らせるようにしてなることを特徴とする。
【発明の効果】
【００１１】
上記解決手段による発明の効果を、後述する実施形態の参照符号を付して説明すると、請求項１に係る発明によれば、振動装置２により植物１を一日所要時間で所要日数間振動させることにより、植物１の根Ｒが強制振動により刺激を受けて根Ｒの成長が促進され、それによって植物１全体の成長を図ることができると共に、特に、成長機能が弱ってしまって死にかけた樹木１の再生を図ることができる。
【００１２】
また、上記のような植物１の成長・促進は、振動装置２による強制振動により、植物１の植わっている土壌Ｓの表面に微細なクラックが入って、そのクラックから土壌Ｓ中に酸素が導入され、それまで沈滞していた根Ｒの成長機能が活発に働くようになること、また強制振動によって局部的に土壌Ｓが液状化し、栄養分が供給し易くなり、特に肥料を施した場合、永年の肥料分が地中下部に溜まって根Ｒに届かない状態にあるので、その液状化によってその肥料分を活用させること、更にまた強制振動により根Ｒに刺激を与えることによって、根菌（こんけん）が育ち易くなること、などに要因があるものと考えられる。例えば、ブドウやナシなどを植えた果樹園では、それらを植樹した後はその土壌を耕すようなことがないため土壌が硬くなり、酸素が不足し、果樹の根の成長機能が低下している状態になり易いことから、例えば収穫後に、果樹の幹に振動装置２を取り付けて振動させることにより、その土壌表面にクラックが入り、土壌中に酸素が入って活性化し、栄養分の吸収も良くなり、それにより根の成長機能を活発化して、美味しい果実をたくさん実らせることができる。
【００１３】
請求項２に係る発明によれば、植物１１が植わった土壌Ｓに対し振動装置で振動を与えることにより、その振動が植物１１の根ｒに伝わって刺激を与え、その成長を促進させることができる。また、この発明の方法は、特にイネ１１の成長・促進に有効である。この方法による植物１１の成長・促進も、上述のように、土壌Ｓの表面に微細なクラックが入って、そのクラックから土壌Ｓ中に酸素が導入されて活性化すること、また強制振動によって局部的に土壌Ｓが液状化し、栄養分が供給し易くなり、特に肥料を施した場合、永年の肥料分が地中下部に溜まって根ｒに届かない状態にあるので、その液状化によって肥料分を活用させること、そしてまた強制振動により根ｒに刺激を与えることによって、根菌が育ち易くなることなどに要因があるものされる。例えば、ブドウやナシなどを植えた果樹園では、それらを植樹した後はその土壌を耕すようなことがないため土壌が硬くなり、酸素が不足し、果樹の根の成長機能が低下した状態になり易いことから、果樹の植わった土壌を振動装置で振動させることにより、その土壌表面にクラックが入り、土壌中に酸素が入って活性化し、栄養分の吸収も良くなり、根の成長機能を活発化して、美味しい果実をたくさん実らせることができる。
【００１４】
請求項３に係る発明の振動装置は、植物１の幹Ｔに縛り付けて固定される加振機３からなるため、振動装置の取り扱いが簡単で、振動作業が容易となる。
【００１５】
請求項４に係る発明の振動装置は、加振機１３を搭載した基台１４と、基台１４の下面より垂設された多数本の振動伝達棒１５とからなるもので、基台１４をダンパー１８を介してクレーンで吊持した状態で、各振動伝達棒１５の下端部を植物１１の植わった土壌Ｓに所要深さだけ突入させるようにするため、装置的には大掛かりなものとなるけれども、土壌Ｓの比較的広い範囲を一度に、しかも的確に振動させることができる利点がある。
【００１６】
請求項５に係る発明の振動装置は、植物１１の植わった土壌Ｓの上に載置される格子枠状の振動伝達枠２４と、振動伝達枠２４上の中央部に立設された支柱２５と、支柱２５の上端部に設置された加振機２３とからなるもので、構造が簡単で部品点数が少ないため、製作コストを安くできると共に、比較的軽量であるため運搬が容易となる利点がある。
【００１７】
請求項６に係る発明の振動装置は、一定間隔おきに偏心カム３０を設けた長尺な回転シャフト３１の一端部を連動用フレキシブルシャフト３３を介してモーターに連動連結すると共に、回転シャフト３１の略全長に亘って非回転チューブ３５を套嵌してなる棒状振動体３６からなるため、植物１１の植えられた土壌Ｓへの設置が容易で、水田や畑に限らず、果樹園等の傾斜地でも使用可能となり、しかも振動作業がし易くなる利点を有する。
【００１８】
請求項７に係る発明の振動装置は、下面側に複数条の橇４４を備えた基台４１をトラクター４５で牽引して、橇４４を土壌Ｓの表面側で滑らせながら、加振機４３の振動を基台４１から橇４４を介して土壌Ｓに伝え、土壌Ｓを振動させるようにしたものであるから、振動作業を水田や畑の他、果樹園等の傾斜地でも使用可能であると共に、その振動作業を能率良く、しかも非常に楽に行なうことができる利点を有する。
【発明を実施するための最良の形態】
【００１９】
以下に本発明の好適な実施形態について図面を参照しながら説明すると、図１及び図２は本発明に係る、植物としての樹木の育成方法を示すもので、図１は正面図、図２は図１の一部を拡大して示す斜視図である。この育成方法は、樹木１の幹Ｔに振動装置２を取り付け、この振動装置２によって樹木１を一日所要時間、所要日数間にわたり振動させることにより、樹木１の根Ｒに刺激を与えて、根Ｒ更には樹木１全体の成長を促進させるようにした方法である。
【００２０】
振動装置２は、樹木１の幹Ｔに縛り付けて取付け固定される加振機３からなるもので、樹木１への取り付けに際しては、図１及び図２に示すように、樹木１の加振機取付箇所に樹木１が傷まないようにゴムシートや布地からなるカバー４を巻き付けて、適当な紐で樹木１に縛りつけた後、このカバー４に加振機３の基台部３ｏを当て付け、紐体又はバンドからなる縛着具５により、この加振機３を、カバー４を介して樹木１の所要箇所に取付け固定する。また加振機３の電源コード６を最寄りの電源コンセントに接続する。
【００２１】
図１に示すような育成方法を実施するには、図示のように樹木１の幹Ｔの所要部に振動装置２を取り付けた状態で、振動装置２の加振機３を作動させて樹木１に振動を与える。この際、加振機３により発生させる振動の周波数及び加振力は、樹木１の種類、大きさ、幹の太さ、樹齢、樹木１の植わっている土壌の硬さ等によって適宜に選定すればよい。
【００２２】
この図１に示す育成方法の実施の一例について説明すれば、対象とする樹木１の種類は榎（えのき）、その樹齢は約８０年、樹木１の高さは概ね１０ｍ、振動装置２を取り付ける幹Ｔ部分の太さは直径約６０ｃｍであり、加振機３の振動周波数は５０〜６０Hzとし、加振力は６ｋＮとする。しかして、上記振動装置２を一日に例えば３０分だけ連続運転し、これを例えば一カ月間に亘り継続して行なった。
【００２３】
そこで、この樹木１の根Ｒの回りの土壌を掘り起こして、根Ｒの状態を調べてみたら、一カ月前には見られなかった新しい根Ｒが出ていると共に、各根Ｒが一カ月前よりも長く伸びていることが分かった。これは、振動装置２で樹木１を一日所要時間、所要日数間に亘って振動させることにより、樹木１の根Ｒが強制振動により刺激を受けて、根Ｒの成長が促進されたことの証明であるといえる。
【００２４】
また、このような樹木１の成長・促進は、振動装置２による強制振動により、樹木１の植わっている土壌Ｓの表面に微細なクラックが入って、そのクラックから土壌Ｓ中に酸素が導入され、それまで沈滞していた根Ｒの成長機能が活発に働くようになる、所謂活性化したこと、また強制振動によって局部的に土壌Ｓが液状化し、栄養分が供給し易くなり、特に肥料を施した場合、永年の肥料分が地中下部に溜まって根Ｒに届かない状態にあるので、液状化によってその肥料分を活用させること、更にまた強制振動により根Ｒに刺激を与えることによって、根菌（こんけん）が育ち易くなることなどに要因があるものと考えられる。特に、図１に示す育成方法は、根Ｒの成長機能が弱って、死にかけている状態の樹木の再生にきわめて有効である。
【００２５】
図３は本発明に係る、植物としてのイネの育成方法を示すもので、この育成方法は、イネ１１の植えられた土壌Ｓに対して振動装置１２により一日所要時間、所要日数間にわたって振動を与えることにより、植物の根に刺激を与えて、イネ１１の成長を促進させるようにした方法である。この場合の土壌Ｓは、水田又は畑とする。尚、図４は図３のＸ−Ｘ線に沿った概略断面図である。
【００２６】
振動装置１２は、加振機１３を搭載した基台１４と、この基台１４の下面より下向きに一定間隔で縦横整列状態に垂設された多数本の振動伝達棒１５と、基台１４上に設置された支持枠１６とからなるもので、支持枠１６に吊り杆１７がコイルバネ（ダンパー）１８を介して取り付けてあり、この吊り杆１７にクレーン（図示せず）のフック１９を引っ掛けて吊り下げ、移動できるようになっている。
【００２７】
支持枠１６は、基台１６上に立設固定された複数本の支柱１６ａと、これら支柱１６ａの上部に固定された上部枠１６ｂとで形成されていて、上部枠１６ｂに吊り杆１７がコイルバネ（ダンパー）１８を介して取り付けられると共に、吊り杆１７は、連結部材１７ｂによって相互に連結された複数本のガイド棒１７ａによって上下垂直方向に案内される。各振動伝達棒１５は、基台１４が支持枠１６を介してクレーンで吊り下げられた状態で、その下端部をイネ１１の植えられた土壌Ｓに所要深さだけ突入させるようになっている。加振機１３の電源コード６は延長して所要の電源コンセントに接続する。
【００２８】
上記振動装置１２の使用にあたっては、図３に示すように、この振動装置１２をクレーンで吊り上げて、イネ１１が植えてある水田（又は畑）の所要の場所に下ろす。この時、振動装置１２は、各振動伝達棒１５を水田のイネ１１（イネ株）とイネ１１（イネ株）との間に位置させると共に、各振動伝達棒１５の下端部が土壌Ｓに所要深さだけ突入するように吊持した状態とする。
【００２９】
このような状態で、振動装置１２の加振機１３を作動させると、加振機１３による振動は、基台１４から各振動伝達棒１５に伝わり、各振動伝達棒１５の振動によって、イネ１１の植えられた土壌Ｓを振動させ、各イネ株の根ｒに刺激を与える。この場合、加振機１３の振動周波数は５０〜６０Hzとし、また加振力は０．５〜１０ｋＮとした。こうしてある一定場所での振動作業を終えたならば、クレーンによって振動装置１２を移動させ、同様な振動作業を行なう。以降も同様な作業を行なって、その水田の土壌Ｓ全域に振動を与える。
【００３０】
このイネ１１の植わった水田（又は畑）土壌Ｓでの振動作業は、田植え後、例えば約３週間が経過して、イネ１１の根ｒが土壌Ｓに定着した状態で行なうものとした。そして、このような振動作業は、一日１回で夫々の場所毎に例えば約１０分継続して行うと共に、例えば３日おきに１０回（約一カ月間）行なった。
【００３１】
しかして、上記のように振動装置１２によって振動を与えた土壌Ｓのイネ１１を発育状態を、田植え後約一月半を経過した時に、振動を与えていない他の土壌Ｓのイネ１１（田植えの時期は振動を与えた土壌Ｓのイネ１１と同時）と比較してみたら、振動装置１２によって振動を与えた土壌Ｓのイネ１１の方は、根ｒの成長が著しく、その数及び長さが、振動を与えていない土壌Ｓのイネ１１よりも多くて長く、またイネ株も太くなっているが分かった。
【００３２】
これは、イネ１１の植えられた土壌Ｓに対し振動装置１２で振動を与えることにより、その振動がイネ１１の根ｒに伝わって刺激を与え、その成長を促進させることの証明であるといえる。
【００３３】
上述した図３に示すような  振動装置１２によれば、装置的には大掛かりなものとなるけれども、土壌Ｓの比較的広い範囲を一度にしかも的確に振動させることができる。
【００３４】
図５は植物の植えられた土壌に対し振動を与えるための他の振動装置２２を示す斜視図であり、図６の(a) はこの振動装置２２の使用状態を示す正面図、(b) はその平面図である。この振動装置２２は、イネ１１などの植物の植えられた土壌Ｓの上に載置される格子枠状の振動伝達枠２４と、この振動伝達枠２４上の中央部に立設された支柱２５と、この支柱２５の上端部に設置された加振機２３とから構成される。振動伝達枠２４は縦桟２４ａと横桟２４ｂとを格子状に枠組みしてなるものであり、支柱２５は、この振動伝達枠２４の中央部に補強枠２６を介して立設固定されている。この支柱２５の頂部には台板２７が取り付けてあって、この台板２７上に加振機２３が設置されている。
【００３５】
上記振動装置２２の使用にあたっては、この振動装置２２を、図５及び図６に示すように、イネ１１の植えてある水田の所要場所まで運搬していって、格子状の振動伝達枠２４を、その縦桟２４ａ及び横桟２４ｂが水田のイネ株に当たらないように土壌Ｓの上に載置した状態とし、この状態で振動装置２２の加振機２３を作動させると、加振機２３による振動が振動伝達枠２４に伝わり、この振動伝達枠２４の振動によって、図３及び図４に示す振動装置１２の場合と同様に、土壌Ｓを振動させて各イネ株の根ｒに刺激を与える。一定場所での振動作業が終われば、振動装置２２を順次移動させるようにする。
【００３６】
このような振動装置１２によれば、構造が簡単で部品点数が少ないため、製作コストを安くできると共に、比較的軽量であるため運搬が容易となる利点がある。
【００３７】
図７は植物の植えられた土壌に対し振動を与えるための更に他の振動装置３２を示すもので、(a) は側面図、(b) は(a) の矢印イで示す部分の拡大断面図、(c) は(b) のＹ−Ｙ線断面図、(d) は(a) の矢印ロで示す部分の拡大断面図である。
【００３８】
この振動装置３２は、一定間隔おきに偏心カム３０を配設した長尺な回転シャフト３１の一端部を連動用フレキシブルシャフト３３を介して装置本体部３４のモーター（図示省略）に連動連結すると共に、回転シャフト３１には略全長に亘って非回転チューブ３５を套嵌してなる棒状振動体３６からなり、装置本体部３４のモーターにより連動用フレキシブルシャフト３３を介して回転シャフト３１を回転させると、各偏心カム３０の偏心回転によって非回転チューブ３５に振動を生ぜしめるようにしたもので、水田、畑、果樹園などにおいて、この棒状振動体３６を植物の植えられた土壌の上に這わせるようになっている。
【００３９】
図７の(a) 〜(c) に示すように、回転シャフト３１に套嵌される非回転チューブ３５には偏心カム３０が回転する部分に拡大筒部３５ａが設けてある。また、図７の(d) に示すように、回転シャフト３１の一端部３１ａとこれに連結される連動用フレキシブルシャフト３３の端部３３ａとは、連結ボックス３７内で一体回転可能に連結されている。
【００４０】
この振動装置３２の使用にあたっては、図７の(a) に示すように、例えば水田に隣接した畦道などに装置本体部３４を設置し、この装置本体部３４から延出した棒状振動体３６を隣り合うイネ株列間の通路部に這わせた状態に配置する。この状態で、装置本体部３４のモーターを回転させると、連動用フレキシブルシャフト３３を介して回転シャフト３１が回転し、この回転シャフト３１の回転により各偏心カム３０が偏心回転して、非回転チューブ３５に振動を生ぜしめ、その振動により水田の土壌Ｓを振動させ、その振動がイネ１１の根ｒに伝わって刺激を与え、その成長を促進させるようになっている。
【００４１】
このような振動装置３２によれば、棒状振動体３６からなるため、植物の植えられた土壌への設置が容易で、水田や畑に限らず、果樹園等の傾斜地でも使用可能となり、しかも振動作業がし易くなる利点がある。
【００４２】
図８は植物の植えられた土壌に対し振動を与えるための更に他の振動装置で、特に移動式振動装置４２を示し、(a) は振動装置４２の側面図であり、(b) はその背面図である。この移動式振動装置４２は、加振機４３を搭載した基台４１と、この基台４１の下面側に取り付けられた複数条、例えば２条の橇４４とからなるもので、図示のように植物２１の植えられた土壌Ｓを走行するトラクター４５により基台４１を牽引して橇４４を土壌Ｓの表面側で滑らせながら、加振機４３の振動を基台４１から橇４４を介して土壌Ｓに伝え、その振動により植物の根を刺激するようになっている。
【００４３】
図８の(a) ，(b) において、４６は振動装置４２の基台４１を昇降するための昇降装置で、トラクター４５に装備されている。４７はトラクター４５の動力を振動装置４２側に伝えて加振機１３を駆動させるための動力ジョイントである。
【００４４】
この移動式振動装置４２によれば、下面側に複数条の橇４４を備えた基台４１をトラクター４５で牽引して、橇４４を土壌Ｓの表面側で滑らせながら、加振機４３の振動を基台４１から橇４４を介して土壌Ｓに伝え、土壌Ｓを振動させるようにしたものであるから、振動作業を水田や畑の他、果樹園等の傾斜地でも使用可能であると共に、その振動作業を能率良く、しかも非常に楽に行なうことができる利点を有する。
【図面の簡単な説明】
【００４５】
【図１】本発明に係る樹木（植物）の育成方法を説明する正面図である。
【図２】図１の一部を拡大して示す斜視図である。
【図３】本発明に係るイネ（植物）の育成方法を説明する正面図である。
【図４】図３のＸ−Ｘ線に沿った概略断面図である。
【図５】植物の植えられた土壌に対し振動を与えるための他の振動装置を示す斜視図である。
【図６】植物の植えられた土壌に対し振動を与えるための更に他の振動装置を示すもので、(a) はこの振動装置の使用状態を示す正面図、(b) はその平面図である。
【図７】(a) は図７は植物の植えられた土壌に対し振動を与える更に他の振動装置を示し、(a) は側面図、(b) は(a) の矢印イで示す部分の拡大断面図、(c) は(b) のＹ−Ｙ線断面図、(d) は(a) の矢印ロで示す部分の拡大断面図である。
【図８】(a) は植物の植えられた土壌に対し振動を与えるための更に他の振動装置で、特に移動式振動装置を示し、(a) は振動装置の正面図であり、(b) はその背面図である。
【符号の説明】
【００４６】
１            樹木（植物）
Ｍ            樹木の根
Ｓ            土壌
２            振動装置
３            加振機
１１          イネ（植物）
ｒ            イネの根
１２          振動装置
１３          加振機
１４          基台
１５          振動伝達棒
２２          振動装置
２３          加振機
２４          振動伝達枠
２５          支柱
３０          偏心カム
３１          回転シャフト
３２          振動装置
３３          連動用フレキシブルシャフト
３５          非回転チューブ
３６          棒状振動体
４１          基台
４２          振動装置
４３          加振機
４４          橇
４５          トラクター
【図１】
2008000091.tif 000003
【図２】
2008000091.tif 000004
【図３】
2008000091.tif 000005
【図４】
2008000091.tif 000006
【図５】
2008000091.tif 000007
【図６】
2008000091.tif 000008
【図７】
2008000091.tif 000009
【図８】
2008000091.tif 000010